(57)【要約】【課題】光源の個数が低減され、光源と光学シートとの離隔距離が比較的長い場合においても、錐形部を大径に形成することなくシート受具の全長を長くすることができるとともに、錐形部の耐強度を確保することができ、また、シート受具周りの輝度を均一化することができるシート受具、光源装置及び表示装置を提供する。【解決手段】光学シート７の周縁部を支持する支持体１に取付けられる取付部５３と、略円錐形をなし光学シート７の撓みを制限する錐形部５１と、該錐形部５１の基端から錐形部５１の長さ方向に配され、錐形部５１と一体に成形されている幹部５２とを有し、該幹部５２の基端に取付部５３を配してあるシート受具５とし、該シート受具５の周りの輝度を均一化することができるようにした。【選択図】図３
2010218915.tif 000002
【特許請求の範囲】
【請求項１】
光学シートに先端が接触して該光学シートの撓みを制限する錐形部及び該錐形部を、前記光学シートの周縁部を支持する支持体に取付ける取付部を有するシート受具において、前記錐形部の基端から該錐形部の長さ方向に配され、前記錐形部と一体に成形されている幹部を有し、該幹部の基端に前記取付部を配してあることを特徴とするシート受具。
【請求項２】
前記錐形部は略円錐形をなし、前記幹部は、前記錐形部における基端の直径以下の厚さを有する板形をなしている請求項１記載のシート受具。
【請求項３】
前記幹部の両側面は、前記錐形部の長さ方向に対して傾斜している請求項２記載のシート受具。
【請求項４】
前記幹部の厚さ方向における一面及び他面は、前記錐形部の長さ方向に対して傾斜している請求項２又は３記載のシート受具。
【請求項５】
前記幹部は、前記錐形部の長さ方向に配され、厚さ方向における一面及び他面の少なくとも一方から突出する凸条部を有する請求項２から４のいずれか一つに記載のシート受具。
【請求項６】
前記幹部は、厚さ方向へ貫通する貫通孔を有する請求項２から５のいずれか一つに記載のシート受具。
【請求項７】
前記錐形部は略円錐形をなし、前記幹部は、前記錐形部の長さ方向に対して異方向へ傾斜する複数の柱形部を有する請求項１記載のシート受具。
【請求項８】
前記錐形部は略円錐形をなし、前記幹部は略台形をなす２枚の板体を有し、各板体の短辺端が前記錐形部に結合され、長辺端が厚さ方向へ離隔している請求項１記載のシート受具。
【請求項９】
前記幹部は、前記長さ方向と直交する方向へ離隔して対向する２枚の板体と、各板体の前記錐形部側の端部を連結する連結体とを有し、前記錐形部が前記連結体と一体である請求項１記載のシート受具。
【請求項１０】
前記錐形部は略円錐形をなし、前記幹部は、前記錐形部における基端の直径以下の円柱形をなし、該幹部の周方向の少なくとも１箇所に、長さ方向に沿う凸条部を設けてある請求項１記載のシート受具。
【請求項１１】
前記錐形部は板形をなし、前記幹部は、前記錐形部と厚さ方向が等しい板形をなしている請求項１記載のシート受具。
【請求項１２】
前記錐形部及び幹部の両面に沿う方向の断面形状は略三角形である請求項１１記載のシート受具。
【請求項１３】
前記錐形部及び幹部の少なくとも一方は、厚さ方向へ貫通する貫通孔を有する請求項１１又は１２記載のシート受具。
【請求項１４】
前記錐形部及び幹部は、略三角形をなす２枚の板体の尖部が結合され、基端が厚さ方向へ離隔している請求項１記載のシート受具。
【請求項１５】
並置される複数の光源と、該光源及び光源が発光した光が入射される光学シートを支持する支持体と、該支持体における前記光源間に取付けられる請求項１から１４のいずれか一つに記載のシート受具とを備えることを特徴とする光源装置。
【請求項１６】
前記光源は円柱形をなし、前記シート受具は、隣合う光源間の中央部に、前記厚さ方向における一面及び他面が前記光源と直交的となるように配されている請求項１５記載の光源装置。
【請求項１７】
前記光源は円柱形をなし、該光源の長さ方向中間部を挾持し、前記支持体に取付けられる複数のクリップを備え、前記シート受具は、隣合う光源の間に、前記クリップに対して前記光源の長さ方向へ離隔して配されている請求項１５記載の光源装置。
【請求項１８】
前記シート受具は、前記一面及び他面が前記光源と直交的となるように配されている請求項１７記載の光源装置。
【請求項１９】
一側に表示面を有する表示部と、該表示部の他側に配されている請求項１５から１８のいずれか一つに記載の光源装置と、前記光源が発光した光を前記表示部へ入射する光学シートとを備えることを特徴とする表示装置。
【発明の詳細な説明】
【技術分野】
【０００１】
本発明は表示装置が備える光学シートの撓みを制限するシート受具、表示装置の光源として使用される光源装置及び表示装置に関する。
【背景技術】
【０００２】
テレビジョン等の表示装置は、画像を表示する表示面を前側に有する表示部の後側に光源装置が配されており、該光源装置と表示部との間に、光源装置の光源が発光した光を前記表示部へ入射する光学シートが配されている。
【０００３】
光源装置は直方体をなし、光学シートの周縁部を支持する筺体と、該筺体内に上下に離隔して並置される複数の光源と、該光源及び前記光学シートの間で、隣合う光源間に取付けられ、前記光学シートのシート面に先端が接触して該光学シートの撓みを制限するシート受具とを備える（例えば、特許文献１参照）。
【０００４】
シート受具は、錐形部及び該錐形部の基端に連なり、前記筺体における隣合う光源間に取付けられる取付板部とを有し、錐形部の先端が光学シートの一面に接触することにより、該光学シートの撓みを制限し、光学シートと前記光源との間の距離をほぼ均等に保つことができるように構成されている。
【０００５】
また、表示装置は、表側に表示面を有する表示部と、直管状をなし、並置される複数の蛍光ランプ及び該蛍光ランプを収容支持する筺体を有する光源装置と、該光源装置及び前記表示部の間に配され、蛍光ランプが発光した光が入光される光学シートとを備え、前記筺体内における蛍光ランプ間に、二つの光反射面を有する断面Ｖ字形をなし、蛍光ランプが発光した光を前記光学シートに向けて反射させる柱形光反射体を配し、該柱形光反射体の頂部に、光学シートのシート面に先端が接触して該光学シートの撓みを制限する支持突起が設けられている（例えば、特許文献２参照）。柱形光反射体は蛍光ランプとほぼ等しい長さに形成され、二つの光反射面が蛍光ランプと平行となるように配されており、該柱形光反射体の長さ方向の中間に支持突起が一体成形されている。
【先行技術文献】
【特許文献】
【０００６】
【特許文献１】特開２００６−２１０３３７号公報
【特許文献２】特開２００４−１２７２８号公報
【発明の概要】
【発明が解決しようとする課題】
【０００７】
特許文献１のように離隔して並置される複数の光源、及びシート受具を有する光源装置が使用された表示装置にあっては、光源の並置間隔を狭くすることにより、シート受具における錐形部の周りに影が現れないようにすることができる。しかし、光源の個数が増加するため、コストが高くなる。
【０００８】
光源の個数を低減し、光源の並置間隔を狭くした構成において、シート受具における錐形部の周りに影が現れないようにするには、光源と光学シートとの離隔距離を長くする必要がある。この場合、シート受具における錐形部の長さを長くし、光学シートの撓みを制限する必要がある。
【０００９】
しかし、シート受具における錐形部の長さが長くなると、光学シートの撓み荷重に対する錐形部の強度が低下し、また、光学シートとの接触部にキシミ音等の異音が発生し易くなるため、錐形部の長さを長くするとともに、錐形部を大径に形成し、錐形部の耐強度を高くする必要がある。
【００１０】
ところが、錐形部が大径になると、隣合う光源の一方が発光した光にて錐形部の一側面が照射されたとき、錐形部の他側面側に該錐形部の影が現れ、隣合う光源の他方が発光した光にて錐形部の他側面が照射されたとき、錐形部の一側面側に該錐形部の影が現れ、この影が表示部の表示面に現れることになるという問題がある。
【００１１】
また、特許文献２のように蛍光ランプとほぼ等しい長さに形成された柱形光反射体の頂部に支持突起が設けられている表示装置にあっては、隣合う光源が発光した光が柱形光反射体の二つの光反射面にて反射し、この反射光が支持突起の一側面及び他側面を照射することになる。しかし、二つの光反射面にて反射した反射光は、支持突起における一側面及び他側面間の周面側は前記反射光にて照射されないため、この一側面及び他側面間の周面側に支持突起の影が現れることになり、この影が表示部の表示面に現れることになるという問題がある。また、柱形光反射体は蛍光ランプとほぼ等しい長さであるため、光反射体が大型とり、また、表示装置の大きさに対応した大きさの光反射体を使用する必要があり、光反射体の汎用性もない。
【００１２】
本発明は斯かる事情に鑑みてなされたものであり、主たる目的は光源の個数が低減され、光源と光学シートとの離隔距離が比較的長い場合においても、錐形部を大径に形成することなくシート受具の全長を長くすることができ、錐形部の耐強度を確保することができるとともに、シート受具周りの輝度を均一化することができ、シート受具の周りに影が現れないようにすることができるシート受具、光源装置及び表示装置を提供することにある。
【課題を解決するための手段】
【００１３】
本発明に係るシート受具は、光学シートに先端が接触して該光学シートの撓みを制限する錐形部及び該錐形部を、前記光学シートの周縁部を支持する支持体に取付ける取付部を有するシート受具において、前記錐形部の基端から該錐形部の長さ方向に配され、前記錐形部と一体に成形されている幹部を有し、該幹部の基端に前記取付部を配してあることを特徴とする。
【００１４】
この発明にあっては、錐形部と取付部との間に幹部があり、該幹部が錐形部を取付部から遠ざけてあるため、錐形部を大径に形成することなく全長を長くすることができるとともに、光学シートの撓み荷重に対する強度を幹部にて得ることができる。また、錐形部を大径に形成する必要がないため、錐形部の周りに影を発生し難くでき、シート受具周りの輝度を均一化することができる。
【００１５】
また、本発明に係るシート受具は、前記錐形部は略円錐形をなし、前記幹部は、前記錐形部における基端の直径以下の厚さを有する板形をなしている構成とするのが好ましい。
この発明にあっては、幹部の厚さ方向の一面及び他面が円柱形をなす光源と直交的となるように配されることにより、一面及び他面に沿う方向へ照射される光量を多くし、前記一面及び他面にて反射する光量を少なくし得るため、幹部周りの輝度を均一化することができ、シート受具の周りに影を発生し難くできる。
【００１６】
また、本発明に係るシート受具は、前記幹部の両側面は、前記錐形部の長さ方向に対して傾斜している構成とするのが好ましい。
この発明にあっては、幹部の容積が取付部から錐形部の基端へ漸次減少しており、前記一面及び他面にて反射する光量をより一層少なくし得るため、幹部周りの輝度をより一層均一化することができ、シート受具の周りにより一層影を発生し難くできる。また、幹部は楔形をなしているため、自立安定性を高めることができる。
【００１７】
また、本発明に係るシート受具は、前記幹部の厚さ方向における一面及び他面は、前記錐形部の長さ方向に対して傾斜している構成とするのが好ましい。
この発明にあっては、自立安定性を高めることができるとともに、幹部の剛性を高めることができる。
【００１８】
また、本発明に係るシート受具は、前記幹部は、前記錐形部の長さ方向に配され、厚さ方向における一面及び他面の少なくとも一方から突出する凸条部を有する構成とするのが好ましい。
この発明にあっては、板形をなす幹部の厚さを比較的薄くし、該幹部の厚さ方向への撓みを凸条部にて防ぐことができ、自立安定性を高めることができるため、シート受具を軽量、小型化できる。
【００１９】
また、本発明に係るシート受具は、前記幹部は、厚さ方向へ貫通する貫通孔を有する構成とするのが好ましい。
この発明にあっては、光源が発光した光が幹部の貫通孔を透過するため、幹部周りにより一層影が発生し難くなり、幹部周りの輝度をより一層均一化できる。
【００２０】
また、本発明に係るシート受具は、前記錐形部は略円錐形をなし、前記幹部は、前記錐形部の長さ方向に対して異方向へ傾斜する複数の柱形部を有する構成とするのが好ましい。
この発明にあっては、複数の柱形部を比較的細くすることができるとともに、光源が発光した光が柱形部の間を透過するため、幹部周りの輝度を均一化でき、また、自立安定性を高めることができる。また、比較的細い柱形部は板形に比べて可撓性を有する幹部にすることができるため、光学シート及びシート受具が相対的に振動することがあっても、この振動にて柱形部が撓み可能であり、シート受具にて光学シートが擦れるのをなくし得る。
【００２１】
また、本発明に係るシート受具は、前記錐形部は略円錐形をなし、前記幹部は略台形をなす２枚の板体を有し、各板体の短辺端が前記錐形部に結合され、長辺端が厚さ方向へ離隔している構成とするのが好ましい。
この発明にあっては、２枚の板体にて自立安定性を高めることができ、また、２枚の板体を比較的薄くすることができるとともに、光源が発光した光が２枚の板体の間を透過するため、幹部周りの輝度を均一化できる。
【００２２】
また、本発明に係るシート受具は、前記幹部は、前記長さ方向と直交する方向へ離隔して対向する２枚の板体と、各板体の前記錐形部側の端部を連結する連結体とを有し、前記錐形部が前記連結体と一体である構成とするのが好ましい。
この発明にあっては、２枚の板体にて自立安定性を高めることができ、また、幹部の厚さ方向の一面及び他面が円柱形をなす光源と直交的となるように配されることにより、一面及び他面に沿う方向へ照射される光量を多くし、前記一面及び他面にて反射する光量を少なくし得るため、幹部周りの輝度を均一化することができ、シート受具の周りに影を発生し難くできる。
【００２３】
また、本発明に係るシート受具は、前記錐形部は略円錐形をなし、前記幹部は、前記錐形部における基端の直径以下の円柱形をなし、該幹部の周方向の少なくとも１箇所に、長さ方向に沿う凸条部を設けてある構成とするのが好ましい。
この発明にあっては、円柱形をなす幹部を比較的細くし、該幹部の撓みを凸条部にて防ぐことができ、自立安定性を高めることができるため、シート受具を軽量、小型化できる。
【００２４】
また、本発明に係るシート受具は、前記錐形部は板形をなし、前記幹部は、前記錐形部と厚さ方向が等しい板形をなしている構成とするのが好ましい。
この発明にあっては、錐形部及び幹部が板形をなしているため、錐形部及び幹部の厚さ方向の一面及び他面が円柱形をなす光源と直交的となるように配されることにより、一面及び他面に沿う方向へ照射される光量を多くし、錐形部及び幹部にて反射する光量を少なくし得るため、錐形部及び幹部周りの輝度を均一化することができ、シート受具の周りに影を発生し難くできる。
【００２５】
また、本発明に係るシート受具は、前記錐形部及び幹部の両面に沿う方向の断面形状は略三角形である構成とするのが好ましい。
この発明にあっては、シート受具の座屈剛性を高めることができるため、錐形部及び幹部が板形をなすシート受具の耐久性を高めることができる。
【００２６】
また、本発明に係るシート受具は、前記錐形部及び幹部の少なくとも一方は、厚さ方向へ貫通する貫通孔を有する構成とするのが好ましい。
この発明にあっては、光源が発光した光が光反射部の貫通孔を透過するため、幹部周りの輝度をより一層均一化でき、シート受具の周りにより一層影を発生し難くできる。
【００２７】
また、本発明に係るシート受具は、前記錐形部及び幹部は、略三角形をなす２枚の板体の尖部が結合され、基端が厚さ方向へ離隔している構成とするのが好ましい。
この発明にあっては、２枚の板体にて自立安定性を高めることができ、また、シート受具の座屈剛性を高めることができ、２枚の板体からなるシート受具の耐久性を高めることができる。
【００２８】
また、本発明に係るシート受具は、並置される複数の光源と、該光源及び光源が発光した光が入射される光学シートを支持する支持体と、該支持体における前記光源間に取付けられる前述した発明のシート受具とを備えることを特徴とする。
この発明にあっては、錐形部と取付部との間に幹部を有し、該幹部が錐形部を取付部から遠ざけているシート受具の取付部が支持体に取付けられるため、並置される光源の個数を低減した場合においても、錐形部を大径に形成することなくシート受具の全長を長くすることができるとともに、光学シートの撓み荷重に対する強度を確保することができ、しかも、錐形部を大径に形成する必要がないため、錐形部の周りに影を発生し難くでき、シート受具周りの輝度を均一化できる。
【００２９】
また、本発明に係るシート受具は、前記光源は円柱形をなし、前記シート受具は、隣合う光源間の中央部に、前記厚さ方向における一面及び他面が前記光源と直交的となるように配されている構成とするのが好ましい。
この発明にあっては、錐形部と取付部との間に幹部を有し、該幹部が錐形部を取付部から遠ざけてあるシート受具の取付部が、該シート受具における幹部の一面及び他面が光源と直交的となるように隣合う光源間の中央部に取付けられるため、並置される光源の個数を低減した場合においても、幹部の一面及び他面に沿う方向へ照射される光量を多くし、前記一面及び他面にて反射する光量を少なくすることができるため、幹部周りの輝度を均一化でき、シート受具の周りに影を発生し難くできる。
【００３０】
また、本発明に係るシート受具は、前記光源は円柱形をなし、該光源の長さ方向中間部を挾持し、前記支持体に取付けられる複数のクリップを備え、前記シート受具は、隣合う光源の間に、前記クリップに対して前記光源の長さ方向へ離隔して配されている構成とするのが好ましい。
この発明にあっては、円柱形をなす光源上にクリップを配し、隣合う光源の間で、且つクリップに対して光源の長さ方向へ離隔した位置にシート受具を配してあるため、並置される光源の個数を低減した場合においても、クリップに影響されることなくシート受具の周りに影が現れるのをなくすることができ、また、シート受具に影響されることなくクリップ周りに影が現れないようにすることができる。
【００３１】
また、本発明に係るシート受具は、前記シート受具は、前記一面及び他面が前記光源と直交的となるように配されている構成とするのが好ましい。
この発明にあっては、クリップに対して光源の長さ方向へ離隔した位置に配するシート受具を、該シート受具における幹部の一面及び他面が光源と直交的となるように隣合う光源間に取付けられるため、並置される光源の個数を低減した場合においても、幹部の一面及び他面に沿う方向へ照射される光量を多くすることができる。因って、錐形部の周りに影が現れないようにすることができる。
【００３２】
また、本発明に係るシート受具は、一側に表示面を有する表示部と、該表示部の他側に配されている前述した発明の光源装置と、前記光源が発光した光を前記表示部へ入射する光学シートとを備えることを特徴とする。
この発明にあっては、錐形部と取付部との間に幹部を有し、錐形部を大径に形成することなく全長を長くすることができるシート受具にて光学シートの撓みを制限することができるため、並置される光源の個数を低減した場合においても、シート受具周りに影が現れるのをなくすることができ、光源が照射する照射範囲全体の輝度を均一化できる。
【発明の効果】
【００３３】
本発明によれば、錐形部と取付部との間に幹部があり、該幹部が錐形部を取付部から遠ざけてあるため、錐形部を大径に形成することなく全長を長くすることができるとともに、光学シートの撓み荷重に対する強度を得ることができ、しかも、錐形部を大径に形成する必要がないため、錐形部の周りに影を発生し難くでき、シート受具周りの輝度を均一化することができる。
【００３４】
また、本発明によれば、錐形部と取付部との間に幹部があり、該幹部が錐形部を取付部から遠ざけてあるシート受具の取付部が前記支持体に取付けられるため、並置される光源の個数を低減した場合においても、錐形部を大径に形成することなくシート受具の全長を長くすることができるとともに、光学シートの撓み荷重に対する強度を確保することができる。また、錐形部を大径に形成する必要がないため、錐形部の周りに影を発生し難くでき、シート受具周りの輝度を均一化することができ、光源が照射する照射範囲全体の輝度をより一層均一化できる。
【図面の簡単な説明】
【００３５】
【図１】本発明に係る光源装置の構成を示す正面図である。
【図２】本発明に係る光源装置の一部を拡大した斜視図である。
【図３】本発明に係る光源装置の構成を示す一部を拡大した断面図である。
【図４】本発明に係る光源装置の支持体の構成を示す正面図である。
【図５】本発明に係る光源装置が備えるシート受具の構成を示す斜視図である。
【図６】本発明に係る光源装置を備える表示装置の構成を示す断面図である。
【図７】本発明に係る光源装置が備えるシート受具の他の構成を示す斜視図である。
【図８】本発明に係る光源装置が備えるシート受具の他の構成を示す斜視図である。
【図９】本発明に係る光源装置が備えるシート受具の他の構成を示す斜視図である。
【図１０】本発明に係る光源装置が備えるシート受具の他の構成を示す斜視図である。
【図１１】本発明に係る光源装置が備えるシート受具の他の構成を示す斜視図である。
【図１２】本発明に係る光源装置が備えるシート受具の他の構成を示す斜視図である。
【図１３】本発明に係る光源装置が備えるシート受具の他の構成を示す斜視図である。
【図１４】本発明に係る光源装置が備えるシート受具の他の構成を示す斜視図である。
【図１５】本発明に係る光源装置が備えるシート受具の他の構成を示す斜視図である。
【図１６】本発明に係る光源装置が備えるシート受具の他の構成を示す斜視図である。
【図１７】本発明に係る光源装置が備えるシート受具の他の構成を示す斜視図である。
【図１８】本発明に係る光源装置が備えるシート受具の他の構成を示す斜視図である。
【図１９】本発明に係る光源装置が備えるシート受具の他の構成を示す斜視図である。
【発明を実施するための形態】
【００３６】
以下本発明をその実施の形態を示す図面に基づいて詳述する。図１は本発明に係る光源装置の構成を示す正面図、図２は光源装置の一部を拡大した斜視図、図３は光源装置の構成を示す一部を拡大した断面図である。
【００３７】
図に示した光源装置は、箱形の直方体をなし、開放側の端部に光学シートの周縁部を支持する支持体１と、円柱形をなし、支持体１内に上下にほぼ等間隔で並置される複数の光源２と、該光源２の両端部を支持体１の内側に保持するホルダ３，３と、光源２の長さ方向中間を挾持し、支持体１内に取付けられる合成樹脂製の複数のクリップ４と、支持体１内に取付けられ、光学シートの撓みを制限する合成樹脂製のシート受具５とを備える。支持体１の内面部は、光源２が発光した光を支持体１の開放側へ反射させるべき光反射面１ａになっている。光反射面１ａは支持体１自体が反射する面である他、支持体１と別個の光反射層であってもよい。
【００３８】
図４は支持体の構成を示す正面図である。支持体１は金属板を成形してなり、長方形をなす板部１１と、該板部１１の周縁に連なる枠部１２とを有する。板部１１には、クリップ４を取付けるための複数の第１の取付孔１３と、シート受具５を取付けるための複数の第２の取付孔１４とが開設されており、また、板部１１の内側に、光反射面１ａを構成する光反射板が配されている。
【００３９】
第１の取付孔１３は、図４に示すように各光源２の長さ方向中央部分と対向する位置に前記長さ方向へ交互に偏倚させて開設されている。第２の取付孔１４は、図４に示すように隣合う光源２，２間の中央部分で、且つクリップ４に対して光源２の長さ方向へ離隔する位置に開設されている。第１及び第２の取付孔１３，１４は丸形をなしている。また、第１の取付孔１３は光源２の個数に対応して設けられており、第２の取付孔１４は光源２の個数に関係なく光源２の並置方向へ離隔して設けられている。また、第２の取付孔１４は支持体１における二つの対角上のうち、一方の対角上の２箇所に配してある。
【００４０】
光源２は、円柱形をなし両端部に電極を有する冷陰極管であり、夫々の光源２の電極にインバータ回路基板が接続され、パルス幅変調信号により明るさが制御されるように構成されている。
【００４１】
クリップ４は支持体１の反射面に対向し、矩形をなす基板４１と、光源２の長さ方向中間部が嵌合挾持される挾持部４２と、基板４１の他面に突設され、第１の取付孔１３に挿嵌係止される取付部４３とを有し、耐熱性及び光反射性に優れているポリカーボネートにより一体成形されている。挾持部４２は光源２の並置方向へ離隔して対向し、光源２を挾持する二つの挾持片を有する。取付部４３は板状の突片の先端に二つの爪部を有し、爪部が第１の取付孔１３の孔縁部に係止される。
【００４２】
図５はシート受具の構成を示す斜視図である。シート受具５は、光学シートのシート面に先端が接触して該光学シートの撓みを制限する錐形部５１と、該錐形部５１の基端に連なり、該錐形部５１を後記する取付部５３から遠ざける板状の幹部５２と、該幹部５２に連なり、第２の取付孔１４に挿嵌係止される取付部５３とを有し、光反射性に優れている白色のポリカーボネート樹脂により一体成形されている。
【００４３】
錐形部５１は、幹部５２に連なる基端から先端へ容積が漸次減少する略円錐形をなし、先端は球面をなしている。錐形部５１の基端の直径は約４〜５mmである。錐形部５１における基端部の一側面及び他側面間の周面は前記長さ方向に沿って欠除され、該基端部の断面形状は非円形になっているが、その他、円形の断面形状であってもよい。
【００４４】
幹部５２は、錐形部５１の基端から該錐形部５１の長さ方向に配されており、取付部５３から錐形部５１の基端へ容積が漸次減少する楔形をなし、錐形部５１における基端の直径の１／２程度の厚さを有する板状をなしており、錐形部５１における基端の径方向中央部に連なっている。厚さ方向における一面５２ａ及び他面５２ｂ間の二つの側面５２ｃ，５２ｃは、錐形部５１の長さ方向に対して約４５度傾斜している。
【００４５】
取付部５３は、一面が幹部５２の基端に連なり、他面が支持体１の光反射面に対向する基板５３ａと、該基板５３ａの他面に突設されている板状突片５３ｂと、該板状突片５３ｂの先端に連なる二つの爪部５３ｃとを有し、爪部５３ｃが第２の取付孔１４の孔縁部に係止される。
【００４６】
以上のように構成された光源装置Ａは、支持体１の第１の取付孔１３にクリップ４の取付部４３が挿嵌係止され、また、支持体１内に複数の光源２が並置され、該光源２の両端部がホルダ３，３にて支持体１内に保持されるとともに、光源２の中間部がクリップ４の挾持部４２に挿嵌挾持される。また、支持体１の第２の取付孔１４にシート受具５の取付部５３が挿嵌係止される。
【００４７】
第１の取付孔１３に取付けられたクリップ４は、図１に示すように光源２の長さ方向へ交互に偏倚して配され、第２の取付孔１４に取付けられたシート受具５は、図１、図２に示すように支持体１における一方の対角上の２箇所で、且つクリップ４に対して光源２の長さ方向へ離隔した箇所に、幹部５２の一面５２ａ及び他面５２ｂが光源２と直交するように配される。
【００４８】
光源２が発光した光はクリップ４、シート受具５及び支持体１内の光反射面１ａを照射する。クリップ４は支持体１内の光反射面１ａに対する長さが比較的短く、クリップ４自体も光反射性に優れている合成樹脂製であるため、前記光反射面１ａにて反射される光によりクリップ４の周りの輝度は均一化できる。
【００４９】
シート受具５は支持体１内の光反射面１ａに対する長さが比較的長いけれども、錐形部５１と取付部５３との間に、錐形部５１を光反射面１ａから遠ざけてある幹部５２を有し、錐形部５１を大径に形成することなくシート受具５の全長を長くすることができるため、錐形部５１の周りに影を発生し難くできる。また、錐形部５１の基端は幹部５２に連なるため、光学シートの撓み荷重に対する強度を幹部５２にて得ることができる。
【００５０】
シート受具５部分を照射した光は、幹部５２の一面５２ａ及び他面５２ｂに沿う直射光となり、幹部５２の二つの側面５２ｃ，５２ｃにて反射する光量は少ないため、幹部５２周りの輝度を均一化することができ、シート受具５の周りに影は発生し難い。また、シート受具５はクリップ４に対して光源２の長さ方向へ離隔する位置に配してあるため、クリップ４に影響されることなくシート受具５の周りに影が生じるのを防ぐことができる。
【００５１】
図６は光源装置を備える表示装置の構成を示す断面図である。光源装置Ａは例えば液晶テレビジョン等の液晶表示装置に使用される。
【００５２】
液晶表示装置は、図６に示すように前側に表示面を有し略直方体をなす表示部６と、該表示部６の後側に配置された光源装置Ａと、該光源装置Ａ及び表示部６の間に配され、光源２が発光した光を表示部６へ入射する光学シート７と、表示部６の周縁部及び光源装置Ａの後側を被覆するキャビネット８とを有する。
【００５３】
表示部６は、前後側に偏光板が貼着されている表示パネル６１と、該表示パネル６１の周縁部を前後で挾持して保持する前保持枠体６２及び後保持枠体６３とを有し、周縁部が支持体１の開放側の端部に支持されている。
【００５４】
光学シート７は、光源２が発光した光を拡散する比較的厚肉で、透光性及び可撓性を有する拡散板と、反射偏光シート、プリズムシート、拡散シート等の比較的薄肉で、透光性及び可撓性を有する合成樹脂シートとが積層された積層体であり、表示部６に対応して略直方形に形成されており、周縁部が支持体１の開放側の端部に支持されている。
【００５５】
光学シート７の周縁部を支持する支持体１に取付けられているシート受具５は、図３に示すように光学シート７の中央側部分と対向する位置で、錐形部５１の先端が光学シート７の一面と接触する程度の僅少距離にて対向し、光学シート７の撓みを制限し、光学シート７と光源２との間の距離を均等に保っている。
【００５６】
光源２が発光した光は光学シート７、クリップ４、シート受具５及び支持体１内の光反射面１ａを照射する。この照射により、クリップ４の周りの輝度を均一化できるとともに、シート受具５における錐形部５１及び幹部５２夫々の一側部周り、他側部周りの輝度を均一化することができる。
【００５７】
図７乃至図１９は光源装置が備えるシート受具の他の構成を示す斜視図である。
図７に示すシート受具５ａは、板形をなす幹部５２を、錐形部５１における基端の周面から傾斜する楔形とする代わりに、略円錐形をなす錐形部５１における基端の周面よりも突出した箇所から傾斜する台形とし、該幹部５２における短辺側端縁の長さ方向中央部に錐形部５１が連なる構成としたものである。
この実施例の形態にあっては、幹部５２の剛性を高めることができる。
【００５８】
図８に示すシート受具５ｂは、板形をなす幹部５２を、楔形及び台形とする代わりに、略円錐形をなす錐形部５１における基端の周面よりも突出した箇所から平行的となる直方形とし、該幹部５２における短辺側一端縁の長さ方向中央部に錐形部５１が連なる構成としたものである。
この実施の形態にあっては、幹部５２の剛性を高めることができる。
【００５９】
図９に示すシート受具５ｃは、板形をなし、且つ錐形部５１における基端の周面から傾斜する楔形をなす幹部５２の一面５２ａ及び他面５２ｂに、錐形部５１の長さ方向に配される凸条部５２ｄを一体に設けたものである。尚、凸条部５２ｄは、図７、図８に示すシート受具５の一面５２ａ及び他面５２ｂに設ける構成としてもよい。
【００６０】
この実施の形態にあっては、凸条部５２ｄが幹部５２を補強するため、光学シート７の撓み荷重に対する幹部５２の強度を高めることができる。因って、幹部５２の薄型化を図ることができる。
【００６１】
図１０に示すシート受具５ｄは、板形をなし、且つ略円錐形をなす錐形部５１における基端の周面から傾斜する楔形をなす幹部５２に、厚さ方向へ貫通する貫通孔５４を開設したものである。図１０の(a) は、二つの側面５２ｃ，５２ｃと略平行の内面を有する三角形状の貫通孔５４が開設されており、図１０の(b) は、円形をなす複数の貫通孔５４が開設されている。尚、貫通孔５４は、図７、図８に示すシート受具５の一面５２ａ及び他面５２ａに設ける構成としてもよい。また、貫通孔５４の個数及び形状は特に制限されない。
【００６２】
この実施の形態にあっては、光源２が発光した光が幹部５２の貫通孔５４を透過することになり、幹部５２周りの輝度をより一層均一化でき、シート受具５の周りにより一層影を発生し難くできる。
【００６３】
図１１に示すシート受具５ｅは、板形をなし、且つ略円錐形をなす錐形部５１における基端の周面から傾斜する楔形をなす幹部５２の厚さ方向における一面及び他面が、錐形部５１の長さ方向に対して傾斜し、錐形部５１側が薄く、取付部５３側が厚い略台形としたものである。幹部５２は厚さ方向へ貫通する貫通孔を開設してある構成としてもよい。
この実施例の形態にあっては、自立安定性を高めることができるとともに、幹部の剛性を高めることができる。
【００６４】
図１２に示すシート受具５ｆは、板形をなす幹部５２とする代わりに、錐形部５１の長さ方向に対して両側方へ傾斜する２箇所に、幹部５２としての柱形部５２ｅを配したものである。この柱形部５２ｅは比較的細く形成されており、錐形部５１における基端の二つの周方向位置に連なっている。柱形部５２ｅは円柱形をなしているが、その他、角柱形であってもよいし、また、断面楕円形の柱形であってもよい。
【００６５】
この実施の形態にあっては、光源２が発光した光が幹部５２における柱形部５２ｅ間を透過することになり、幹部５２周りの輝度をより一層均一化でき、シート受具５の周りにより一層影を発生し難くできる。また、柱形部５２ｅは比較的細いため、光学シート７及びシート受具５が相対的に振動することがあっても、この振動により柱形部５２ｅを若干撓ませることができ、シート受具５が光学シート７を擦るのを防ぐことができる。
【００６６】
図１３に示すシート受具５ｇは、板形をなす幹部５２とする代わりに、錐形部５１の長さ方向に対して等間隔で３方へ傾斜する３箇所に、幹部５２としての柱形部５２ｅを配したものである。この柱形部５２ｅは比較的細く形成されており、錐形部５１における基端の三つの周方向位置に連なっている。柱形部５２ｅは円柱形をなしているが、その他、角柱形であってもよいし、また、断面楕円形の柱形であってもよい。
【００６７】
この実施の形態にあっては、光学シート７の撓み荷重に対する幹部５２の強度を高めることができるとともに自立安定性を高めることができ、また、光源２が発光した光が幹部５２における三つの柱形部間を透過することになり、幹部５２周りの輝度を均一化できる。また、柱形部５２ｅは比較的細いため、光学シート７及びシート受具５が相対的に振動することがあっても、この振動により柱形部５２ｅを若干撓ませることができ、シート受具５が光学シート７を擦るのを防ぐことができる。
【００６８】
図１４に示すシート受具５ｈは、板形をなす幹部５２とする代わりに、錐形部５１の長さ方向に対して等間隔で４方へ傾斜する４箇所に、幹部５２としての柱形部５２ｅを配したものである。この柱形部５２ｅは比較的細く形成されており、錐形部５１における基端の四つの周方向位置に連なっている。柱形部５２ｅは円柱形をなしているが、その他、角柱形であってもよいし、また、断面楕円形の柱形であってもよい。
【００６９】
この実施の形態にあっては、光学シート７の撓み荷重に対する幹部５２の強度を高めることができるとともに自立安定性を高めることができ、また、光源２が発光した光が幹部５２における四つの柱形部間を透過することになり、幹部５２周りの輝度を均一化できる。
【００７０】
図１５に示すシート受具５ｉは、略円錐形をなす錐形部５１の長さ方向に対して異方向へ傾斜する複数箇所に、幹部５２としての柱形部５２ｅを配する代わりに、円柱形をなす幹部５２を錐形部５１の長さ方向に配し、この幹部５２の周方向の２箇所に、錐形部５１の長さ方向に配される凸条部５２ｆを一体に設けたものである。幹部５２は、錐形部５１の基端の直径以下の円柱形をなしている。
【００７１】
この実施の形態にあっては、凸条部５２ｆが幹部５２を補強するため、光学シート７の撓み荷重に対する幹部５２の強度を高めることができる。因って、幹部５２の細型化を図ることができる。
【００７２】
図１６に示すシート受具５ｊは、錐形部５１の長さ方向に対して異方向へ傾斜する複数箇所に、幹部５２としての柱形部５２ｅを配する代わりに、錐形部５１の長さ方向と直交する方向へ離隔して対向する２枚の板体５２ｇ，５２ｇ及び各板体５２ｇ，５２ｇの錐形部５１側の端部を連結する連結体５２ｈを有する幹部５２とし、連結体５２ｈの中央部に錐形部５１を一体的に設けたものである。図１６の(a) は、２枚の板体５２ｇ，５２ｇが直方形をなし、図１６の(b) は、２枚の板体５２ｇ，５２ｇが略台形をなしている。尚、各板体５２ｇ，５２ｇは直方形、台形である他、略三角形であってもよい。また、各板体５２ｇ，５２ｇは錐形部５１の長さ方向に対して傾斜する構成としてもよい。
【００７３】
この実施の形態にあっては、光学シート７の撓み荷重に対する幹部５２の強度を、離隔して対向する２枚の板体５２ｇ，５２ｇ及び連結体５２ｈにてより一層高めることができる。
【００７４】
図１７に示すシート受具５ｋは、略円錐形をなす錐形部５１の基端に結合される幹部５２を、略台形をなす２枚の板体５２ｉ，５２ｉを有し、各板体５２ｉ，５２ｉの短辺端が錐形部５１に結合され、取付部５３側の長辺端が厚さ方向へ離隔している構成としたものである。
【００７５】
この実施の形態にあっては、２枚の板体５２ｉ，５２ｉにて自立安定性を高めることができ、また、２枚の板体５２ｉ，５２ｉを比較的薄くすることができるとともに、光源２が発光した光が２枚の板体５２ｉ，５２ｉの間を透過するため、幹部５２周りの輝度を均一化できる。
【００７６】
図１８に示すシート受具５ｍは、錐形部５１を円錐形とし、幹部５２を板形とする代わりに、錐形部５１及び幹部５２を、錐形部５１の長さ方向に対して傾斜する二つの側面５１ａ，５１ａを有する一枚の板形としたものである。錐形部５１及び幹部５２の厚さ方向における一面及び他面に沿う方向の断面形状を略三角形としてあり、二つの側面５１ａ，５１ａと略平行の内面を有する三角形状の貫通孔５４が開設されている。尚、錐形部５１及び幹部５２はほぼ等しい厚さに形成されているが、その他、錐形部５１と幹部５２との厚さを異ならせてもよい。また、錐形部５１及び幹部５２に貫通孔５４を別個に設ける構成としてもよいし、また、錐形部５１及び幹部５２の一面、他面に、錐形部５１の長さ方向に配される凸条部を有する構成としてもよいし、また、貫通孔５４をなくした構成としてもよい。
【００７７】
この実施の形態にあっては、錐形部５１及び幹部５２の一面及び他面に沿う方向へ照射される光量を多くし、前記一面及び他面にて反射する光量を少なくし得るため、錐形部５１及び幹部５２周りの輝度を均一化することができ、シート受具５の周りに影を発生し難くできる。
【００７８】
図１９に示すシート受具５ｎは、錐形部５１を円錐形とし、幹部５２を板形とする代わりに、錐形部５１及び幹部５２を、略三角形をなす２枚の板体５２ｊ，５２ｊの尖部が結合され、基端が厚さ方向へ離隔している略逆Ｖ字形をなす構成としたものである。
【００７９】
この実施の形態にあっては、２枚の板体５２ｊ，５２ｊにて自立安定性を高めることができ、また、２枚の板体５２ｊ，５２ｊを比較的薄くすることができ、軽量化を図ることができる。
【００８０】
図７乃至図１９のシート受具５ａ〜５ｎは、光反射性に優れている白色のポリカーボネート樹脂により一体成形されている。また、図７乃至図１９において、その他の構成及び作用は図１乃至図５に示す光源装置が備えるシート受具５と同様であるため、同様の構成については同じ符号を付し、その詳細な説明及び作用効果の説明を省略する。
【００８１】
尚、以上説明した実施の形態では、円柱形をなす光源２を備える構成としたが、その他、光源２は、発光ダイオードであってもよく、光源２の構成は特に制限されない。
【００８２】
また、以上説明した実施の形態では、支持体１における二つの対角上のうち、一方の対角上の２箇所にシート受具５を配したが、その他、シート受具５は支持体１における二つの対角上の夫々２箇所又は３箇所以上に配してある構成としてもよく、シート受具５の個数及び配置箇所は特に制限されない。
【００８３】
また、以上説明した実施の形態では、シート受具５をポリカーボネート樹脂製としたが、その他、光反射性の高い合成樹脂製であればよいし、また、光反射性の高い例えば白色の塗料が塗布されている構成としてもよい。
【符号の説明】
【００８４】
１    支持体
２    光源
４    クリップ
５，５ａ〜５ｎ  シート受具
５１  錐形部
５２  幹部
５２ａ  一面
５２ｂ  他面
５２ｃ  側面
５２ｄ，５２ｆ  凸条部
５２ｅ  柱形部
５２ｇ、５２ｉ、５２ｊ  板体
５２ｈ  連結体
５３  取付部
５４  貫通孔
６    表示部
７    光学シート
Ａ    光源装置
【図１】
2010218915.tif 000003
【図２】
2010218915.tif 000004
【図３】
2010218915.tif 000005
【図４】
2010218915.tif 000006
【図５】
2010218915.tif 000007
【図６】
2010218915.tif 000008
【図７】
2010218915.tif 000009
【図８】
2010218915.tif 000010
【図９】
2010218915.tif 000011
【図１０】
2010218915.tif 000012
【図１１】
2010218915.tif 000013
【図１２】
2010218915.tif 000014
【図１３】
2010218915.tif 000015
【図１４】
2010218915.tif 000016
【図１５】
2010218915.tif 000017
【図１６】
2010218915.tif 000018
【図１７】
2010218915.tif 000019
【図１８】
2010218915.tif 000020
【図１９】
2010218915.tif 000021